(57)【要約】      （修正有） 【課題】誰でも簡単にしっかりと対象物を縛ることができ、更に縛っている間や縛り終えた後も決して緩むことがない結束バンドを提供する。【解決手段】一端にロック部２ａを備え表面に鋸刃状の凹凸２ｃを形成した２本のバンド２、２と、各バンド２、２の中央部同士を回転可能に連結する連結部材３とからなる結束バンド１と、互いに異なった長さの２本のバンドとからなる結束バンドと、互いに異なった幅の２本のバンドとからなる結束バンドと、同形同大の２本のバンドとからなる結束バンドの構成とした。【選択図】図１
0003136875.tif 000002
【実用新案登録請求の範囲】
【請求項１】
一端にロック部を備え表面に凹凸を形成した２本のバンドと、前記各バンドの中央部同士を回転可能に連結する連結部材とからなることを特徴とする結束バンド。
【請求項２】
連結部材により連結された２本のバンドは、長さが異なることを特徴とする請求項１に記載の結束バンド。
【請求項３】
連結部材により連結された２本のバンドは、幅が異なることを特徴とする請求項１又は請求項２に記載の結束バンド。
【請求項４】
連結部材により連結された２本のバンドは、同形同大であることを特徴とする請求項１に記載の結束バンド。
【考案の詳細な説明】
【技術分野】
【０００１】
本考案は、芝等を束ねる結束バンドに関する考案である。
【背景技術】
【０００２】
従来、複数枚に重ねた芝等を束ねる際には、ビニール紐等で十文字状に括って縛る方法がとられていた。
【０００３】
しかしながら、従来のようなビニール紐等で十文字状に括って縛る方法は、縛り終えるまで紐が緩まないように力を入れながら行わなければならず、どんなに注意をしても縛り終えた後に弛みができていたり、持ち運ぶ際に紐部分を掴むため緩んでしまうことがあった。
【特許文献１】特開２００６−１４９０１４号公報
【考案の開示】
【考案が解決しようとする課題】
【０００４】
そこで、本考案は、誰でも簡単にしっかりと対象物を縛ることができ、更に縛っている間や縛り終えた後も決して緩むことがない結束バンドを提供することを目的とするものである。
【課題を解決するための手段】
【０００５】
本考案は、上記の課題を解決するために、一端にロック部２ａを備え表面に鋸刃状の凹凸２ｃを形成した２本のバンド２、２と、前記各バンド２、２の中央部同士を回転可能に連結する連結部材３とからなることを特徴とする結束バンド１と、  互いに異なった長さの２本のバンドとからなることを特徴とする結束バンドと、  互いに異なった幅の２本のバンドとからなることを特徴とする結束バンドと、  同形同大の２本のバンドとからなることを特徴とする結束バンドの構成とした。
【考案の効果】
【０００６】
本考案の結束バンドはロック構造を備えているためロックのかかった位置から緩むことが無く誰でも簡単にしっかりと対象物を縛ることができる。
【０００７】
また、２本のバンドの各中央部同士を回転可能に連結しているため、２本のバンドを十文字状から直線状まで好きな角度で使用することができ、対象物の形状を問わず幅広く対応することができる。
【０００８】
更に、前述のように２本のバンドが直線状となった際は１本のバンドの状態となるため使用しない場合でも邪魔にならず収納することができる。
【考案を実施するための最良の形態】
【０００９】
誰でも簡単にしっかりと対象物を縛ることができ、縛った後も緩むことが無く、更に使用しない場合にすっきりと収納できる結束バンドという目的を、ロック機能と２本のバンドを回転可能に連結することによって実現した。
【実施例１】
【００１０】
図１は本考案である結束バンドの平面図である。図１に示すように、本考案である結束バンド１は、一端にロック部２ａを備え表面に鋸刃状の凹凸２ｃを形成した２本のバンド２、２と、前記各バンド２、２の中央部同士を回転可能に連結する連結部材３とからなる。
【００１１】
図１に示すように、バンド２のロック部２ａは中央が中空２ｅとなっており、前記中空２ｅ内にロック爪２ｆが突出して設けられている。また、バンド２のロック部２ａとは反対側に位置する先端部２ｂは尖った形状をしており更にバンド２の先端部２ｂ近くの裏面には凹凸２ｄが形成されている。
【００１２】
図２は本考案である結束バンドを使用した状態を示した図である。図２に示すように、まず本考案である結束バンド１を各々のバンド２、２が十文字の位置関係にあるように調節し、連結部材３を一番下の芝生４の底面中央に位置させる。
【００１３】
次に芝生４を任意枚数分だけ重ね、各バンド２、２の各々の先端部２ｂ、２ｂを対応するロック部２ａ、２ａの中空２ｅ、２ｅに挿通する。バンド２を中空２ｅ内に挿通した後は、バンド２が芝生４の束をしっかりと締め付ける程度まで引っ張り固定する。他方のバンド２についても同様にしっかりと締め付ける程度まで引っ張って固定する。
【００１４】
図２に示すように、バンド２で対象物（芝生４）を締め付ける際には、ロック部２ａを対象物の角に位置させると、バンド２の締め付けを容易に行うことができるため、対象物（芝生４）の枚数等を調節するとよい。
【００１５】
また、ロック部２ａ内を挿通した後、バンド２の先端部２ｂが余分に長くなった場合などは、そのままでも良いし、状況に応じて切り落としても構わない。
【００１６】
図３は本考案である結束バンドの結束時の結束部分を示した断面図である。図３に示すように、ロック部２ａの中空２ｅ内に突出して設けられたロック爪２ｆの上面には鋸刃状の凹凸２ｇが形成されており、更にロック爪２ｆの下側には切り込み２ｈが形成されている。
【００１７】
前記バンド２の鋸刃状の凹凸２ｃとロック爪２ｆの鋸刃状の凹凸２ｇの各山は、頂点を形成する各辺の長さを異にして作られた頂点であり、一方の辺が他方の辺より短い。
【００１８】
図３に示すように、ロック部２ａ内に挿通したバンド２を挿通した場合、常に鋸刃状の凹凸２ｃの頂点を形成する長い辺とロック爪２ｆの鋸刃状の凹凸２ｇの頂点を形成する長い辺が重なり、他方鋸刃状の凹凸２ｃの短い辺と鋸刃状の凹凸２ｇの短い辺が重なった状態で係止する。
【００１９】
ロック部２ａからバンド２を引っ張ると各鋸刃状の凹凸２ｃ、２ｇの頂点は相手方の長い辺状を移動し、各鋸刃状の凹凸２ｃ、２ｇの頂点同士が同じ位置になった状態でロック爪２ｆが切り込み２ｈ側に下がり、更にバンド２を引っ張ると互いに次の鋸刃状の凹凸２ｃ、２ｇと係合する。
【００２０】
以上のように、バンド２の鋸刃状の凹凸２ｃとロック爪２ｆの鋸刃状の凹凸２ｇは互いに異なった方向に向かった頂点が形成されているため、バンド２をロック部２ａに挿通し、引っ張ることは容易であるが、逆にバンド２をロック部２ａから抜き取る方向へは常に鋸刃状の凹凸２ｃ、２ｇ同士のロックがかかっているため簡単に抜き取ることができず、抜き取るにはロック爪２ｆを下方に押し下げてロックを解除しなければならない。
【００２１】
図４は本考案である結束バンドの右側面図である。図４に示すように、本考案である結束バンド１は、２本のバンド２、２を回転可能に連結したためそれぞれのバンド２、２を一直線上に重ねることも可能である。
【００２２】
２本のバンド２を一直線上に重ねることにより使用しない状態では邪魔にならず、場所をとらずに収納することができる。
【００２３】
図５は本考案である結束バンドをまとめた状態を示した図である。図５に示すように、本考案である結束バンド１の各バンド２、２が長い場合などは、まず前述の図４のように各バンド２、２を一直線上に重ねて丸く輪状にすることができる。尚、符号５は輪状にした際に解れないようにするために使用する留め具を表している。留め具５には紐、ゴム、ワイヤー等が考えられる。
【００２４】
以上のように本考案である結束バンド１は、収納時に場所をとることが無く、また使用の際も取扱いがし易く、更にしっかりと対象物を結束することができる。
【００２５】
尚、図１から図５では、各バンド２、２の長さを変えたものを使用したが、各バンド２、２の長さは同一でもよく、また、各バンド２、２の太さは同一でも異なったものでも構わない。
【図面の簡単な説明】
【００２６】
【図１】本考案である結束バンドの平面図である。
【図２】本考案である結束バンドを使用した状態を示した図である。
【図３】本考案である結束バンドの結束時の結束部分を示した断面図である。
【図４】本考案である結束バンドの右側面図である。
【図５】本考案である結束バンドをまとめた状態を示した図である。
【符号の説明】
【００２７】
１      結束バンド
２      バンド
２ａ    ロック部
２ｂ    先端部
２ｃ    鋸刃状の凹凸
２ｄ    凹凸
２ｅ    中空
２ｆ    ロック爪
２ｇ    鋸刃状の凹凸
２ｈ    切り込み
３      連結部材
４      芝生
５      留め具
【図１】
0003136875.tif 000003
【図２】
0003136875.tif 000004
【図３】
0003136875.tif 000005
【図４】
0003136875.tif 000006
【図５】
0003136875.tif 000007